(57)【要約】  【課題】商品を冷却あるいは加熱し販売する自動販売機において、効率的に商品を冷却または加熱することで消費電力を低減できるとともに、大量に販売された場合でも充分に商品を冷却・加温することができる自動販売機を提供する。  【解決手段】リターンダクト５を上下方向に移動させる移動手段６と、収納商品の温度を検知する温度検知手段８と、移動手段６によるリターンダクト５の上下位置、およびコンプレッサー９の能力、およびファン４の能力を制御する演算制御部７と、移動手段６によるリターンダクト５の上下位置、ファン４の能力、コンプレッサー９の能力を任意に設定する設定手段を備えたものであり、商品を冷却・加温するゾーンを可変制御することで消費電力を低減できるとともに、ファンの能力、コンプレッサーの能力を可変制御することで大量に販売された場合でも充分に商品を冷却・加温することができる。【選択図】図１
2010160678.tif 000002
【特許請求の範囲】
【請求項１】
複数の部屋に複数の商品収納装置を備えた本体と、前記本体下部に設けられ前記商品収納装置に収納された商品を冷却または加熱するための冷却・加温手段と、前記冷却・加温手段への冷媒を圧縮するコンプレッサーと、前記冷却・加温手段によって冷却・加熱された空気を送風するファンと、前記商品収納装置の後方に設けたリターンダクトと、前記リターンダクトを上下方向に移動させる移動手段と、収納商品の温度を検知する温度検知手段と、前記移動手段による前記リターンダクトの上下位置、および前記コンプレッサーの能力、および前記ファンの能力を制御する演算制御部と、前記移動手段による前記リターンダクトの上下位置、前記ファンの能力、前記コンプレッサーの能力を任意に設定する設定手段を備えたことを特徴とする自動販売機。
【請求項２】
前記リターンダクトの上下位置、ファン、コンプレッサーそれぞれの能力の切り替えの順番を任意に設定可能とする請求項１に記載の自動販売機。
【請求項３】
周囲温度を検知する周囲温度検知手段を備え、周囲温度により前記リターンダクトの上下位置、ファン、コンプレッサーそれぞれの能力の切り替えのいずれかの設定域を可変する請求項１または２に記載の自動販売機。
【請求項４】
設定温度と商品温度の差により、前記リターンダクトの上下位置、ファン、コンプレッサーの能力を切り替える請求項１から３のいずれか一項に記載の自動販売機。
【請求項５】
部屋ごとに前記リターンダクトの上下位置、ファン、コンプレッサーの能力の切替の順番を任意に設定する請求項１から４のいずれか一項に記載の自動販売機。
【請求項６】
時間計数を行うタイマーを備え、時間帯に応じて、前記リターンダクトの上下位置、ファン、コンプレッサーそれぞれの能力の切替の順番を任意に設定する請求項１から５のいずれか一項に記載の自動販売機。
【発明の詳細な説明】
【技術分野】
【０００１】
本発明は商品の収納庫を冷却または加熱して商品を販売するようにした自動販売機の特に大量販売に対応する自動販売機に関するものである。
【背景技術】
【０００２】
近年、自動販売機の冷却・加熱装置は複数の商品収納装置を備えた本体と，本体下部に商品収納装置に収納された商品を冷却または加熱するための冷却・加熱装置と，冷却・加熱装置によって冷却または加熱された空気を送風するファンと，商品収納装置の後方に設けたリターンダクトとからなり，商品収納装置のほぼ全体に強制的に対流をおこし，商品収納装置に収納された商品を均一に冷却または加熱する構成となっている（例えば特許文献１参照）。
【特許文献１】特開平５−２８３５３号公報
【発明の開示】
【発明が解決しようとする課題】
【０００３】
しかしながら、上記のような構成では，商品収納装置全体を均一に冷却または加熱をしている為、必要以上に商品を冷却または加熱していることになり消費電力が多いといった欠点があった。
【０００４】
本発明は従来の課題を解決するもので、効率的に商品を冷却または加熱することで消費電力を低減できるとともに、大量に販売された場合でも充分に商品を冷却・加温することができる自動販売機を提供することを目的とする。
【課題を解決するための手段】
【０００５】
上記従来の課題を解決するために、本発明の自動販売機は、複数の部屋に複数の商品収納装置を備えた本体と、前記本体下部に設けられ前記商品収納装置に収納された商品を冷却または加熱するための冷却・加温手段と、前記冷却・加温手段への冷媒を圧縮するコンプレッサーと、前記冷却・加温手段によって冷却・加熱された空気を送風するファンと、前記商品収納装置の後方に設けたリターンダクトと、前記リターンダクトを上下方向に移動させる移動手段と、収納商品の温度を検知する温度検知手段と、前記移動手段による前記リターンダクトの上下位置、および前記コンプレッサーの能力、および前記ファンの能力を制御する演算制御部と、前記移動手段による前記リターンダクトの上下位置、前記ファンの能力、前記コンプレッサーの能力を任意に設定する設定手段を備えたものである。
【０００６】
これによって、商品を冷却・加温するゾーンを可変制御することと、ファンの能力、コンプレッサーの能力を可変制御することで、消費電力を低減できるとともに、大量に販売された場合でも充分に商品を冷却・加温することができる。
【発明の効果】
【０００７】
本発明の自動販売機は、商品を冷却・加温するゾーンを可変制御することで消費電力を低減できるとともに、ファンの能力、コンプレッサーの能力を可変制御することで大量に販売された場合でも充分に商品を冷却・加温することができ、消費者の満足度を高めた自動販売機を提供することができる。
【発明を実施するための最良の形態】
【０００８】
請求項１に記載の発明は、複数の部屋に複数の商品収納装置を備えた本体と、前記本体下部に設けられ前記商品収納装置に収納された商品を冷却または加熱するための冷却・加温手段と、前記冷却・加温手段への冷媒を圧縮するコンプレッサーと、前記冷却・加温手段によって冷却・加熱された空気を送風するファンと、前記商品収納装置の後方に設けたリターンダクトと、前記リターンダクトを上下方向に移動させる移動手段と、収納商品の温度を検知する温度検知手段と、前記移動手段による前記リターンダクトの上下位置、および前記コンプレッサーの能力、および前記ファンの能力を制御する演算制御部と、前記移動手段による前記リターンダクトの上下位置、前記ファンの能力、前記コンプレッサーの能力を任意に設定する設定手段を備えたものであり、商品を冷却・加温するゾーンを可変制御することで消費電力を低減できるとともに、ファンの能力、コンプレッサーの能力を可変制御することで大量に販売された場合でも充分に商品を冷却・加温することができ、消費者の満足度を高めた自動販売機を提供することができる。
【０００９】
請求項２に記載の発明は、請求項１に記載の発明において、前記リターンダクトの上下位置、ファン、コンプレッサーそれぞれの能力の切り替えの順番を任意に設定可能とするものであり、さらに設置条件により最適な設定が可能となる。
【００１０】
請求項３に記載の発明は、請求項１または２に記載の発明において、周囲温度を検知する周囲温度検知手段を備え、周囲温度により前記リターンダクトの上下位置、ファン、コンプレッサーそれぞれの能力の切り替えのいずれかの設定域を可変するものであり、周囲温度に応じて、強制的に加温または冷却運転をするか否かを設定し、強制運転が必要な場合にのみ商品投入完了後ある一定温度まで全商品を強制的に加温または冷却することができる。
【００１１】
請求項４に記載の発明は、請求項１から３のいずれか一項に記載の発明において、設定温度と商品温度の差により、前記リターンダクトの上下位置、ファン、コンプレッサーの能力を切り替えるものであり、設定温度と商品温度の差により、強制的に加温または冷却運転をするか否かを設定し、温度差が大きく強制運転が必要な場合にのみ商品投入完了後ある一定温度まで全商品を強制的に加温または冷却することができる。
【００１２】
請求項５に記載の発明は、請求項１から４のいずれか一項に記載の発明において、部屋ごとに前記リターンダクトの上下位置、ファン、コンプレッサーの能力の切替の順番を任意に設定するものであり、部屋ごとに最適な設定が可能となる。
【００１３】
請求項６に記載の発明は、請求項１から５のいずれか一項に記載の発明において、時間計数を行うタイマーを備え、時間帯に応じて、前記リターンダクトの上下位置、ファン、コンプレッサーそれぞれの能力の切替の順番を任意に設定するものであり、時間帯に応じて、前記ダクト、ファン、コンプレッサーの運転率切替の順番を任意に設定し、強制的に加温または冷却運転をするか否かを設定し、温度差に応じて前記ダクト、ファン、コンプレッサーのいづれかもしくは順番に運転率の切替を行い商品投入完了後ある一定温度まで全商品を強制的に加温または冷却することができる。
【００１４】
以下、本発明の実施の形態について、図面を参照しながら説明する。なお、この実施の形態によってこの発明が限定されるものではない。
【００１５】
（実施の形態１）
図１は、本発明の実施の形態１による自動販売機の側面断面図である。図２は、同実施の形態の動作を示すフローチャートである。
【００１６】
図１において、商品収納装置１は商品を収納するための構造体であり、断熱壁よりなる本体２は２部屋以上に別れ、商品収納装置１は複数の部屋を備えている。冷却・加温手段３は商品を冷却または加温する装置であり本体２下部に各部屋ごとに１つまたは２つ以上配置している。ファン４は冷却・加温手段３によって冷却または加温された空気を送風する装置であり各部屋ごとに１つまたは２つ以上配置している。リターンダクト５は、冷却された空気または加温された空気がファン４で商品収納装置１の商品に送風され、再び冷却・加温装置３に戻すため、商品収納装置１の後方に設けられている。移動手段６はリターンダクト５を上下方向に移動させるためのもので、たとえばモータ等の動力を用いるものである。温度検知手段８は販売商品の温度を検知する。コンプレッサー９は冷却・加温手段３に冷媒を供給するための圧縮手段である。演算制御部７は移動手段６、ファン４およびコンプレッサー９の運転率を制御する。設定手段１０は移動手段６、ファン４およびコンプレッサー９の運転率の切り替えといずれかのみの切り替えを行うかすべての運転率を切り替えるかを任意に設定する。
【００１７】
以上のように構成された自動販売機について、以下その動作を説明する。
【００１８】
自動販売機管理者がファン４の能力、リターンダクト５の上下位置、およびコンプレッサー９の能力の切り替えを行うとき（ＳＴＥＰ１０１）、設定手段１０により、ファン４、リターンダクト５およびコンプレッサー９の能力設定を行うか否かを設定する（ＳＴＥＰ１０２）。
【００１９】
次にファン４、リターンダクト５およびコンプレッサー９のいずれかの能力設定のみを切り替えるか、すべての切り替えを行うか否かを設定する（ＳＴＥＰ１０３）。商品温度と設定温度に差がある場合（ＳＴＥＰ１０４）、先に設定されたファン４、リターンダクト５およびコンプレッサー９のいずれかもしくはすべての能力設定が切り替わる（ＳＴＥＰ１０５）。
【００２０】
以上のように本実施の形態の自動販売機は、複数の部屋に複数の商品収納装置１を備えた本体２と、前記本体２下部に設けられ前記商品収納装置１に収納された商品を冷却または加熱するための冷却・加温手段３と、前記冷却・加温手段３に冷媒を供給するために圧縮するコンプレッサー９と、前記冷却・加温手段３によって冷却・加熱された空気を送風するファン４と、前記商品収納装置１の後方に設けたリターンダクト５と，リターンダクト５を上下方向に移動させる移動手段６と、収納商品の温度を検知する温度検知手段８と、移動手段６への給電およびコンプレッサー９およびファン４の能力を制御する演算制御部７と、リターンダクト５、ファン４、コンプレッサー９の能力の切り替えを任意に設定する設定手段１０から構成され、リターンダクト５、ファン４、コンプレッサー９の切り替えを行い、商品投入完了後ある一定温度まで全商品をすばやく強制的に加温または冷却することができる。
【００２１】
（実施の形態２）
図３は本発明の実施の形態２による自動販売機の側面断面図である。図４は同実施の形態の動作を示すフローチャートである。なお、実施の形態１と同一構成については同一符号を付して、その詳細な説明を省略する。
【００２２】
図３において、設定手段１０ａは移動手段６、ファン４およびコンプレッサー９の能力の切り替えといずれかのみの切り替えを行うかすべての能力を切り替えるかを任意に設定し、さらに運転率の切り替えの順番を任意に設定する。
【００２３】
以上のように構成された自動販売機について、以下その動作を説明する。
【００２４】
自動販売機管理者がファン４、リターンダクト５およびコンプレッサー９の能力の切り替えを行うとき（ＳＴＥＰ２０１）、設定手段１０ａにより、ファン４、リターンダクト５およびコンプレッサー９の能力設定を行うか否かを設定する（ＳＴＥＰ２０２）。
【００２５】
次にファン４、リターンダクト５およびコンプレッサー９のいずれかの能力のみを切り替えるか、すべての切り替えを行うか否かを設定する（ＳＴＥＰ２０３）。さらに切り替えの順番を設定する場合（ＳＴＥＰ２０４）、自動販売機管理者の意のままに切り替え順番を設定する（ＳＴＥＰ２０５）。商品温度と設定温度に差がある場合（ＳＴＥＰ２０６）、先に設定されたファン４、リターンダクト５およびコンプレッサー９のいずれかもしくはすべての能力が設定された順番どおりに切り替わる（ＳＴＥＰ２０７）。
【００２６】
以上のように本実施の形態の自動販売機は、複数の部屋に複数の商品収納装置１を備えた本体２と、本体２下部に設けられ商品収納装置１に収納された商品を冷却または加熱するための冷却・加温手段３と、冷却・加温手段３に冷媒を供給するために圧縮するコンプレッサー９と、冷却・加温手段３によって冷却・加熱された空気を送風するファン４と、商品収納装置１の後方に設けたリターンダクト５と，リターンダクト５を上下方向に移動させる移動手段６と、収納商品の温度を検知する温度検知手段８と、移動手段６への給電およびコンプレッサー９の能力を制御、およびファン４の運転率を制御する演算制御部７と、リターンダクト５、ファン４、コンプレッサー９の能力の切り替えを任意に設定を行い、さらに能力の切り替えの順番を任意に設定する設定手段１０ａから構成され、リターンダクト５、ファン４、コンプレッサー９の切り替えを任意に設定された順番どおり行い、消費電力を抑えながら商品投入完了後ある一定温度まで全商品をすばやく強制的に加温または冷却することができる。
【００２７】
（実施の形態３）
図５は本発明の実施の形態３による自動販売機の側面断面図である。図６は同実施の形態の動作を示すフローチャートである。なお、実施の形態１または２と同一構成については同一符号を付して、その詳細な説明を省略する。
【００２８】
図５において、周囲温度検知手段１１は本体の周囲温度を検知するものである。設定手段１０ｂは移動手段６、ファン４およびコンプレッサー９の能力の切り替えと、いずれかのみの切り替えを行うかすべての能力を切り替えるかを任意に設定し、能力の切り替えの順番を任意に設定し、さらに周囲温度に応じて切り替えを行うか否かを設定する。
【００２９】
本実施の形態は、実施の形態１または２に記載の自動販売機に、さらに周囲温度検知手段１１を設けたものである。
【００３０】
以上のように構成された自動販売機について、以下その動作を説明する。
【００３１】
自動販売機管理者がファン４、リターンダクト５およびコンプレッサー９の能力の切り替えを行うとき（ＳＴＥＰ３０１）、設定手段１０ｂにより、ファン４、リターンダクト５およびコンプレッサー９の能力の設定を行うか否かを設定する（ＳＴＥＰ３０２）。
【００３２】
次にファン４、リターンダクト５およびコンプレッサー９のいずれかの能力のみを切り替えるか、すべての切り替えを行うか否かを設定する（ＳＴＥＰ３０３）。さらに切り替えの順番を設定する場合（ＳＴＥＰ３０４）、自動販売機管理者の意のままに切り替え順番を設定する（ＳＴＥＰ３０５）。またさらに、周囲温度検知手段１１にて検知された温度により能力の切り替えをするか否かを設定する場合（ＳＴＥＰ３０６）、切り替えをする温度域を任意に設定する（ＳＴＥＰ３０７）。商品温度と設定温度に差がある場合（ＳＴＥＰ３０８）かつ、切り替えする温度域であれば（ＳＴＥＰ３０９）、先に設定されたファン４、リターンダクト５およびコンプレッサー９のいずれかもしくはすべての能力が設定された順番どおりに切り替わる（ＳＴＥＰ３１０）。
【００３３】
以上のように本実施の形態の自動販売機は、複数の部屋に複数の商品収納装置１を備えた本体２と、本体２下部に設けられ商品収納装置１に収納された商品を冷却または加熱するための冷却・加温手段３と、冷却・加温手段３に冷媒を供給するために圧縮するコンプレッサー９と、冷却・加温手段３によって冷却・加熱された空気を送風するファン４と、商品収納装置１の後方に設けたリターンダクト５と，リターンダクト５を上下方向に移動させる移動手段６と、収納商品の温度を検知する温度検知手段８と、移動手段６への給電およびコンプレッサー９、およびファン４の能力を制御する演算制御部７と、リターンダクト５、ファン４、コンプレッサー９の能力の切り替えを任意に設定を行い、さらに能力の切り替えの順番を任意に設定する設定手段１０ｂと、本体の周囲温度を検知する周囲温度検知手段１１から構成され、リターンダクト５、ファン４、コンプレッサー９の切り替えを、たとえば外気温度が極端に高いもしくは低い場合に任意に設定された順番どおり行い、消費電力を抑えながら商品投入完了後ある一定温度まで全商品をすばやく強制的に加温または冷却することができる。
【００３４】
（実施の形態４）
図７は本発明の実施の形態４による自動販売機の側面断面図である。図８は同実施の形態の動作を示すフローチャートである。なお、実施の形態１から３と同一構成については同一符号を付して、その詳細な説明を省略する。
【００３５】
図７において、設定手段１０ｃは移動手段６、ファン４およびコンプレッサー９の能力の切り替えといずれかのみの切り替えを行うかすべての能力を切り替えるかを任意に設定し、能力の切り替えの順番を任意に設定し、さらに周囲温度に応じて切り替えを行うか否かを設定し、さらにまた、商品温度と設定温度の差を設定する。
【００３６】
以上のように構成された自動販売機について、以下その動作を説明する。
【００３７】
自動販売機管理者がファン４、リターンダクト５およびコンプレッサー９の能力の切り替えを行うとき（ＳＴＥＰ４０１）、設定手段１０ｃにより、ファン４、リターンダクト５およびコンプレッサー９の能力の設定を行うか否かを設定する（ＳＴＥＰ４０２）。
【００３８】
次にファン４、リターンダクト５およびコンプレッサー９のいずれかの能力のみを切り替えるか、すべての切り替えを行うか否かを設定する（ＳＴＥＰ４０３）。さらに切り替えの順番を設定する場合（ＳＴＥＰ４０４）、自動販売機管理者の意のままに切り替え順番を設定する（ＳＴＥＰ４０５）。またさらに、周囲温度検知手段１１にて検知された温度により能力の切り替えをするか否かを設定する場合（ＳＴＥＰ４０６）、切り替えをする温度域を任意に設定する。このとき、商品温度と設定温度の差により能力の切り替えを行うか否かの判断をするために温度差の設定も行う（ＳＴＥＰ４０７）。商品温度と設定温度に差があり、温度差が設定温度以上であり（ＳＴＥＰ４０８）かつ、外気温が切り替えする温度域であれば（ＳＴＥＰ４０９）、先に設定されたファン４、リターンダクト５およびコンプレッサー９のいずれかもしくはすべての能力が設定された順番どおりに切り替わる（ＳＴＥＰ４１０）。
【００３９】
以上のように本実施の形態の自動販売機は、複数の部屋に複数の商品収納装置１を備えた本体２と、本体２下部に設けられ商品収納装置１に収納された商品を冷却または加熱するための冷却・加温手段３と、冷却・加温手段３に冷媒を供給するために圧縮するコンプレッサー９と、冷却・加温手段３によって冷却・加熱された空気を送風するファン４と、商品収納装置１の後方に設けたリターンダクト５と，リターンダクト５を上下方向に移動させる移動手段６と、収納商品の温度を検知する温度検知手段８と、移動手段６への給電およびコンプレッサー９、およびファン４の能力を制御する演算制御部７と、リターンダクト５、ファン４、コンプレッサー９の能力の切り替えを任意に設定を行い、さらに能力の切り替えの順番を任意に設定する設定手段１０ｃと、本体の周囲温度を検知する周囲温度検知手段１１から構成され、リターンダクト５、ファン４、コンプレッサー９の切り替えを、たとえば外気温度が極端に高いもしくは低い場合、かつ設置温度と商品温度に差がある場合に任意に設定された順番どおり行い、消費電力を抑えながら商品投入完了後ある一定温度まで全商品をすばやく強制的に加温または冷却することができる。
【００４０】
（実施の形態５）
図９は本発明の実施の形態５による自動販売機の側面断面図である。図１０は同実施の形態の動作を示すフローチャートである。なお、実施の形態１から４と同一構成については同一符号を付して、その詳細な説明を省略する。
【００４１】
図９において、設定手段１０ｄは各部屋ごとに移動手段６、ファン４およびコンプレッサー９の能力の切り替えといずれかのみの切り替えを行うかすべての能力を切り替えるかを任意に設定し、能力の切り替えの順番を任意に設定し、さらに周囲温度に応じて切り替えを行うか否かを設定し、さらにまた、商品温度と設定温度の差を設定する。
【００４２】
以上のように構成された自動販売機について、以下その動作を説明する。
【００４３】
自動販売機管理者がファン４、リターンダクト５およびコンプレッサー９の能力の切り替えを行うとき（ＳＴＥＰ５０１）、設定手段１０ｄにより、ファン４、リターンダクト５およびコンプレッサー９の能力の設定を行うか否かを設定する（ＳＴＥＰ５０２）。
【００４４】
次に各部屋ごとにファン４、リターンダクト５およびコンプレッサー９のいずれかの能力のみを切り替えるか、すべての切り替えを行うか否かを設定する（ＳＴＥＰ５０３）。さらに切り替えの順番を設定する場合（ＳＴＥＰ５０４）、自動販売機管理者の意のままに切り替え順番を設定する（ＳＴＥＰ５０５）。またさらに、周囲温度検知手段１１にて検知された温度により能力の切り替えをするか否かを設定する場合（ＳＴＥＰ５０６）、切り替えをする温度域を任意に設定する。このとき、商品温度と設定温度の差により能力の切り替えを行うか否かの判断をするために温度差の設定も行う（ＳＴＥＰ５０７）。商品温度と設定温度に差があり、温度差が設定温度以上であり（ＳＴＥＰ５０８）かつ、外気温が切り替えする温度域であれば（ＳＴＥＰ５０９）、先に設定されたファン４、リターンダクト５およびコンプレッサー９のいずれかもしくはすべての能力が設定された順番どおりに切り替わる（ＳＴＥＰ５１０）。
【００４５】
以上のように本実施の形態の自動販売機は、複数の部屋に複数の商品収納装置１を備えた本体２と、本体２下部に設けられ商品収納装置１に収納された商品を冷却または加熱するための冷却・加温手段３と、冷却・加温手段３に冷媒を供給するために圧縮するコンプレッサー９と、冷却・加温手段３によって冷却・加熱された空気を送風するファン４と、商品収納装置１の後方に設けたリターンダクト５と，リターンダクト５を上下方向に移動させる移動手段６と、収納商品の温度を検知する温度検知手段８と、移動手段６への給電、およびコンプレッサー９、およびファン４の能力を制御する演算制御部７と、リターンダクト５、ファン４、コンプレッサー９の能力の切り替えを任意に設定を行い、さらに能力の切り替えの順番を任意に設定する設定手段１０ｄと、本体の周囲温度を検知する周囲温度検知手段１１から構成され、リターンダクト５、ファン４、コンプレッサー９の切り替えを、たとえば商品投入時、ある１つの部屋にのみ商品を投入したり、外気温度が極端に高いもしくは低い場合、かつ設置温度と商品温度に差がある場合に、その部屋ごとに任意に設定された順番どおり行い、消費電力を抑えながら商品投入完了後ある一定温度まで全商品をすばやく強制的に加温または冷却することができる。
【００４６】
（実施の形態６）
図１１は本発明の実施の形態６による自動販売機の側面断面図である。図１２は同実施の形態の動作を示すフローチャートである。なお、実施の形態１から５と同一構成については同一符号を付して、その詳細な説明を省略する。
【００４７】
図１１において、タイマー１２は２４時間の時間計数を行う。設定手段１０ｅは時間帯に応じて各部屋ごとに移動手段６、ファン４およびコンプレッサー９の能力の切り替えといずれかのみの切り替えを行うかすべての能力を切り替えるかを任意に設定し、能力の切り替えの順番を任意に設定し、さらに周囲温度に応じて切り替えを行うか否かを設定し、さらにまた、商品温度と設定温度の差を設定する。
【００４８】
以上のように構成された自動販売機について、以下その動作を説明する。
【００４９】
自動販売機管理者がファン４、リターンダクト５およびコンプレッサー９の能力の切り替えを行うとき（ＳＴＥＰ６０１）、設定手段１０ｅにより、ファン４、リターンダクト５およびコンプレッサー９の能力の設定を行うか否かを設定する（ＳＴＥＰ６０２）。
【００５０】
次に各部屋ごとにファン４、リターンダクト５およびコンプレッサー９のいずれかの能力のみを切り替えるか、すべての切り替えを行うか否かを設定する（ＳＴＥＰ６０３）。さらに切り替えの順番を設定する場合（ＳＴＥＰ６０４）、自動販売機管理者の意のままに切り替え順番を設定する（ＳＴＥＰ６０５）。またさらに、周囲温度検知手段１１にて検知された温度と時間帯により運転率の切り替えをするか否かを設定する場合（ＳＴＥＰ６０６）、切り替えをする温度域と時間帯を任意に設定する。このとき、商品温度と設定温度の差により能力の切り替えを行うか否かの判断をするために温度差の設定も行う（ＳＴＥＰ６０７）。商品温度と設定温度に差があり、温度差が設定温度以上であり（ＳＴＥＰ６０８）かつ、外気温が切り替えする温度域で（ＳＴＥＰ６０９）、かつ切り替えする時間帯であれば（ＳＴＥＰ６１０）、先に設定されたファン４、リターンダクト５およびコンプレッサー９のいずれかもしくはすべての能力が設定された順番どおりに切り替わる（ＳＴＥＰ６１１）。
【００５１】
以上のように本実施の形態の自動販売機は、複数の部屋に複数の商品収納装置１を備えた本体２と、本体２下部に設けられ商品収納装置１に収納された商品を冷却または加熱するための冷却・加温手段３と、冷却・加温手段３に冷媒を供給するために圧縮するコンプレッサー９と、冷却・加温手段３によって冷却・加熱された空気を送風するファン４と、商品収納装置１の後方に設けたリターンダクト５と，リターンダクト５を上下方向に移動させる移動手段６と、収納商品の温度を検知する温度検知手段８と、移動手段６への給電、およびコンプレッサー９、およびファン４の能力を制御する演算制御部７と、リターンダクト５、ファン４、コンプレッサー９の能力の切り替えを任意に設定を行い、さらに能力の切り替えの順番を任意に設定する設定手段１０ｅと、本体の周囲温度を検知する周囲温度検知手段１１と２４時間の時間計数を行うタイマー１２から構成され、リターンダクト５、ファン４、コンプレッサー９の切り替えを、たとえばある時間帯に、ある１つの部屋にのみ商品を投入したり、外気温度が極端に高いもしくは低い場合、かつ設置温度と商品温度に差がある場合に、その部屋ごとに任意に設定された順番どおり行い、消費電力を抑えながら商品投入完了後ある一定温度まで全商品をすばやく強制的に加温または冷却することができる。
【産業上の利用可能性】
【００５２】
以上のように、本発明にかかる自動販売機は、商品を冷却・加温するゾーンを可変制御することで消費電力を低減できるとともに、ファンの能力、コンプレッサーの能力を可変制御することで大量に販売された場合でも充分に商品を冷却・加温することができるので、商品を冷却・加温するあらゆる自動販売機器の用途に適用できる。
【図面の簡単な説明】
【００５３】
【図１】本発明による実施の形態１の自動販売機の側面断面図
【図２】同実施の形態の自動販売機の動作を示すフローチャート
【図３】本発明による実施の形態２の自動販売機の側面断面図
【図４】同実施の形態の自動販売機の動作を示すフローチャート
【図５】本発明による実施の形態３の自動販売機の側面断面図
【図６】同実施の形態の自動販売機の動作を示すフローチャート
【図７】本発明による実施の形態４の自動販売機の側面断面図
【図８】同実施の形態の自動販売機の動作を示すフローチャート
【図９】本発明による実施の形態５の自動販売機の側面断面図
【図１０】同実施の形態の自動販売機の動作を示すフローチャート
【図１１】本発明による実施の形態６の自動販売機の側面断面図
【図１２】同実施の形態の自動販売機の動作を示すフローチャート
【符号の説明】
【００５４】
１    商品収納装置
２    本体
３    冷却・加温手段
４    ファン
５    リターンダクト
６    移動手段
７    演算制御部
８    温度検知手段
９    コンプレッサー
１０、１０ａ、１０ｂ、１０ｃ、１０ｄ、１０ｅ  設定手段
１１  周囲温度検知手段
１２  タイマー
【図２】
2010160678.tif 000003
【図４】
2010160678.tif 000004
【図６】
2010160678.tif 000005
【図８】
2010160678.tif 000006
【図１０】
2010160678.tif 000007
【図１２】
2010160678.tif 000008
【図１】
2010160678.tif 000009
【図３】
2010160678.tif 000010
【図５】
2010160678.tif 000011
【図７】
2010160678.tif 000012
【図９】
2010160678.tif 000013
【図１１】
2010160678.tif 000014